(57)【要約】【課題】携帯に便利であり、撮影状態への変更が容易であるカメラ支持具の提供。【解決手段】このカメラ支持具２では、カメラ取付部６は、伸縮脚４の先端に連結されている。伸縮脚４は、直径の異なる筒体１０、１２、１４、１６及び１８を含んでいる。内側の筒体がその径方向外側に隣合う筒体の空間から引き出されることにより伸縮脚４が伸ばされ、内側の筒体がその径方向外側に隣合う筒体の空間に押し込まれることにより伸縮脚４が縮められるように構成されている。この筒体１０、１２、１４、１６及び１８は、それぞれスライド溝及びスライド凸部を備えている。内側の筒体１０のスライド溝６４は、外側の筒体１４のスライド凸部と係合している。同様にして、他の内側の筒体のスライド溝は、その外側の筒体のスライド凸部と係合している。内側の筒体は、その外側の筒体に対して周方向の回転が規制されている。【選択図】図１
0003155695.tif 000002
【実用新案登録請求の範囲】
【請求項１】
カメラ取付部及び伸縮脚を備えており、
このカメラ取付部が伸縮脚の先端に連結されており、
この伸縮脚が直径の異なる複数の筒体を含み、複数の筒体が径方向に重なり合っており、筒体がその径方向外側に隣合う筒体の空間に通されて構成されており、
この内側の筒体がその径方向外側に隣合う筒体の空間から引き出されることにより伸縮脚が伸ばされ、内側の筒体がその径方向外側に隣合う筒体の空間に押し込まれることにより伸縮脚が縮められるように構成されており、
この筒体がスライド溝及びスライド凸部を備えており、
このスライド溝が筒体の軸方向に延びて形成されており、内側の筒体のスライド溝又はスライド凸部が外側の筒体のスライド凸部又はスライド溝と係合して、内側の筒体がその外側の筒体に対して周方向の回転が規制されているカメラ支持具。
【請求項２】
上記カメラ取付部が伸縮脚に対して回動可能にされている請求項１に記載のカメラ支持具。
【請求項３】
上記カメラ取付部が伸縮脚に対して伸縮脚の軸線に直交する方向を回動軸に回動可能にされている請求項２に記載のカメラ支持具。
【請求項４】
上記内側の筒体とその径方向外側に隣合う筒体との間に弾性体が挟み込まれており、
この弾性体が内側の筒体に対してその径方向外側に隣合う筒体を径方向外側に向けて付勢している請求項１から３のいずれかに記載のカメラ支持具。
【考案の詳細な説明】
【技術分野】
【０００１】
本考案は、カメラ支持具に関する。詳細には、本考案は、その長さを調節することが出来るカメラ支持具に関する。
【背景技術】
【０００２】
写真撮影や映像撮影に、カメラが用いられている。カメラでの撮影の際に、カメラを固定するものとして、三脚などのカメラ支持具が使用されている。これらのカメラ支持具は、撮影場所で、その位置、高さ及び向きが変えられる。この様にして、カメラが取り付けられ撮影状態にされたカメラ支持具は、嵩張る。この状態のカメラ支持具及びカメラは、持ち運びに適さない。また、カメラ支持具及びカメラを携帯し易い状態にして移動すると、撮影状態に戻すのに手間がかかる。
【０００３】
特開２００６−１１９５５４号公報には、カメラ支持具が記載されている。このカメラ支持具は、クリップ、支持アーム及び受け具を備えている。クリップが棚などを挟み込んで、このカメラ支持具が固定される。この受け具にカメラが取り付けられる。支持アームが伸縮及び回動して自在な方向に保持するように構成されている。このカメラ支持具は、カメラの位置、高さ及び向きの設定が変更されうる。
【先行技術文献】
【特許文献】
【０００４】
【特許文献１】特開２００６−１１９５５４号公報
【考案の概要】
【考案が解決しようとする課題】
【０００５】
このカメラ支持具の支持アームは、伸縮固定ネジで締着されている。この支持具では、伸縮固定ネジを弛めて伸縮及び回動がされる。伸縮及び回動がされた後に伸縮固定ネジが締め付けられて固定される。この支持具では、支持具の伸縮及び固定に手間がかかる。この支持具は、携帯し易い状態と撮影状態との間で、その状態を変更するのに手間がかかる。
【０００６】
本考案の目的は、携帯に便利であり、撮影状態への変更が容易であるカメラ支持具の提供にある。
【課題を解決するための手段】
【０００７】
本考案に係るカメラ支持具は、カメラ取付部及び伸縮脚を備えている。このカメラ取付部は、伸縮脚の先端に連結されている。この伸縮脚は、直径の異なる複数の筒体を含んでいる。伸縮脚は、この複数の筒体が径方向に重なり合っており、筒体がその径方向外側に隣合う筒体の空間に通されて構成されている。この内側の筒体がその径方向外側に隣合う筒体の空間から引き出されることにより伸縮脚が伸ばされ、内側の筒体がその径方向外側に隣合う筒体の空間に押し込まれることにより伸縮脚が縮められるように構成されている。この筒体は、スライド溝及びスライド凸部を備えている。このスライド溝は、筒体の軸方向に延びて形成されている。内側の筒体のスライド溝又はスライド凸部は、外側の筒体のスライド凸部又はスライド溝と係合している。内側の筒体は、その外側の筒体に対して周方向の回転が規制されている。
【０００８】
好ましくは、このカメラ支持具では、カメラ取付部は、伸縮脚に対して回動可能にされている。好ましくは、カメラ取付部は。伸縮脚に対して伸縮脚の軸線に直交する方向を回動軸に回動可能にされている。
【０００９】
好ましくは、上記内側の筒体とその径方向外側に隣合う筒体との間に弾性体が挟み込まれている。この弾性体は、内側の筒体に対してその径方向外側に隣合う筒体を径方向外側に向けて付勢している。
【考案の効果】
【００１０】
このカメラ支持具の伸縮脚は、内側に位置する筒体とその外側に位置する筒体とが相対的に軸方向に移動して伸縮脚の長さが伸縮可能にされている。内側に位置する筒体とその外側に位置する筒体とが相対的に周方向に回転することが制限されている。このカメラ支持具は、その取付部に取り付けられたカメラ向きを任意の向きに変更できる。このカメラ支持具は、伸縮脚を縮めることで携帯に便利である。この伸縮脚を伸ばすことで、手元から離れた位置でカメラ撮影が出来る。
【図面の簡単な説明】
【００１１】
【図１】図１は、本考案の一実施形態に係るカメラ支持具の一の形態が示された正面図である。
【図２】図２は、図１の矢印IIで示された部分拡大断面図である。
【図３】図３は、図１のカメラ支持具の部分分解図である。
【図４】図４は、図２のIV−IV線に沿った断面図である。
【図５】図５は、図１のカメラ支持具の他の状態が示された正面図である
【図６】図６は、図１のカメラ支持具の一部の使用状態が示された正面図である。
【図７】図７は、図１のカメラ支持具の使用状態が示された説明図である。
【考案を実施するための形態】
【００１２】
以下、適宜図面が参照されつつ、好ましい実施形態に基づいて本考案が詳細に説明される。
【００１３】
図１に示すように、このカメラ支持具２は、伸縮脚４、カメラ取付部６及びグリップ８を備えている。この伸縮脚４は、筒体としての第一筒体１０、第二筒体１２、第三筒体１４、第四筒体１６及び第五筒体１８と、基部２０とを有している。カメラ取付部６は、取付ネジ部２２及び固定ナット２４を有している。グリップ８は、本体２６及び尻栓２８を有している。
【００１４】
図２は、図１の伸縮脚４の一部の断面が示されている。図２には、軸線を通る断面が示されている。図２には、第一筒体１０の一部、第二筒体１２、第三筒体１４及び第四筒体１６の一部が、断面で示されている。この断面は、伸縮脚４の軸線を通る断面である。図３には、第一筒体１０と第二筒体１２との接続部分の分解図が示されている。この伸縮脚４は、弾性体としての板バネ３０を複数有している。
【００１５】
図１から図４が参照されつつ、第二筒体１２から第五筒体１８の形状が説明される。第二筒体１２は、その軸方向に長尺の薄肉円筒状の形状を備えている。第二筒体１２は、軸方向に貫通する空間３２を備えている。第二筒体１２の外径は、先端から後端まで同じにされている。第二筒体１２の内径は、先端から後端まで同じにされている。第二筒体１２の先端部には、円周溝３４が形成されている。この円周溝３４は、第二筒体１２の外周面を円周方向に一周している。この円周溝３４により、第二筒体１２の先端部には、その内周面に半径方向内側に突出する円周凸部３６が形成されている。この円周凸部３６は、第二筒体１２の内周面を円周方向に一周するように形成されている。
【００１６】
この第二筒体１２の外周面には、一対のスライド溝３８が形成されている。このスライド溝３８は、第二筒体１２の先端から後端まで延びている。この伸縮脚４では、このスライド溝３８は、第二筒体１２の軸方向に延在している。図４に示されるように、このスライド溝３８は、第二筒体１２の外周面に半径方向内向きに凹状に形成されている。このスライド溝３８により、第二筒体１２の内周面に半径方向内側に突出するスライド凸部４０が形成されている。このスライド凸部４０は、スライド溝３８と同様に第二筒体１２の先端から後端まで延びている。この伸縮脚４では、このスライド凸部４０は、第二筒体１２の軸方向に延在している。
【００１７】
第三筒体１４、第四筒体１６及び第五筒体１８は、この第二筒体１２と同様の形状を備えている。第三筒体１４は、第二筒体１２と同様に、空間４１、円周溝４２、円周凸部４４、スライド溝４６及びスライド凸部４８を備えている。同様に、第四筒体１６は、空間４９、円周溝５０、円周凸部５２、スライド溝５４及びスライド凸部５６を備えている。第五筒体１８は、円周溝５８及びスライド溝６０を備え、図示されないが空間、円周凸部及びスライド凸部を備えている。この伸縮脚４では、第二筒体１２の外径より、第三筒体１４の内径が大きい。第三筒体１４の外径より、第四筒体１６の内径が大きい。第四筒体１６の外径より、第五筒体１８の内径が大きい。
【００１８】
図１、図２及び図３が参照されつつ、第一筒体１０の形状が説明される。第一筒体１０は、その軸方向に長尺の薄肉円筒状の形状を備えている。第一筒体１０は、軸方向に貫通する空間６２を備えている。第一筒体１０の外径は、先端から後端まで同じにされている。第一筒体１０の内径は、先端から後端まで同じにされている。第一筒体１０の外周面には、一対のスライド溝６４が形成されている。このスライド溝６４は、第一筒体１０の先端から後端まで延びている。この伸縮脚４では、このスライド溝６４は、第一筒体１０の軸方向に延在している。このスライド溝６４により、第一筒体１０の内周面に半径方向内向きに突出するスライド凸部６６が形成されている。このスライド凸部６６は、スライド溝６４と同様に第一筒体１０の先端から後端まで延びている。この伸縮脚４では、このスライド凸部６６は、第一筒体１０の軸方向に延在している。
【００１９】
第一筒体１０の外径より、第二筒体１２の内径が大きい。第一筒体１０は、第二筒体１２の空間３２に挿入されている。第一筒体１０のスライド溝６４は、第二筒体１２のスライド凸部４０に係合させられている。同様にして、第二筒体１２は、第三筒体１４の空間４１に挿入されている。スライド溝３８は、スライド凸部４８に係合させられている。第三筒体１４は、第四筒体１６の空間４９に挿入されている。スライド溝４６は、スライド凸部５６に係合させられている。図示されないが、第四筒体１６は、第五筒体１８の空間に挿入されている。スライド溝５４は、第五筒体１８のスライド凸部に係合させられている。
【００２０】
図２及び図３に示されるように、第一筒体１０の後端部には、孔６８が形成されている。この孔６８は、第一筒体１０を貫通している。板バネ３０は、円周方向に湾曲した板形状である。この湾曲の曲率半径は、第一筒体１０の外周面の半径より小さい。この板バネ３０の湾曲した凹面に、突起７０が形成されている。この突起７０が孔６８に嵌め込まれる。板バネ３０が第一筒体１０の外周面に取り付けられている。一対の板バネ３０が第一筒体１０の軸線を中心として対向して設けられている。
【００２１】
図２に示されるように、この板バネ３０は、第一筒体１０の外周面と第二筒体１２の内周面との間に挟み込まれている。この板バネ３０が第一筒体１０と第二筒体１２との間で弾性変形する。板バネ３０の周方向中央部は、第二筒体１２の内周面に押し付けられている。板バネ３０の周方向両端部は、第一筒体１０の外周面に押し付けられている。これにより、この板バネ３０が第一筒体１０に対して第二筒体１２を径方向外側に向けて付勢している。
【００２２】
この第一筒体１０と第二筒体１２の連結と同様にして、第二筒体１２と第三筒体１４とが板バネ３０を挟み込むで連結され、第三筒体１４と第四筒体１６とが板バネ３０を挟み込んで連結され、第四筒体１６と第五筒体１８とが板バネ３０を挟み込んで連結されている。
【００２３】
図１に示されるように、基部２０は、第一筒体１０の先端に固定されている。この基部２０は、第一筒体１０の先端に連結されている。取付ネジ部２２が、この基部２０に軸着されている。カメラ取付部６は、伸縮脚４の先端に連結されている。このカメラ支持具２では、伸縮脚４の軸線に垂直な方向を回動軸として、取付ネジ部２２が基部２０に対して回動可能とされている。固定ナット２４は、取付ネジ部２２に螺合されている。
【００２４】
図１に示されるように、グリップ８の本体２６は、第五筒体１８の外周に嵌め込まれている。尻栓２８は、第五筒体１８の後端に嵌められている。この尻栓２８により、第五筒体１８の空間の後端が塞がれている。
【００２５】
このカメラ支持具２の使用方法が説明される。図５では、第一筒体１０が第二筒体１２に押し込まれている。第二筒体１２は、第三筒体１４に押し込まれている。第三筒体１４は、第四筒体１６に押し込まれている。第四筒体１６は、第五筒体１８に押し込まれている。図５は、このカメラ支持具２が縮められた状態が示されている。カメラ取付部６では、基部２０に対して、取付ネジ部２２の先端が伸縮脚４の軸線方向に向けられている。このカメラ支持具２は、携帯に便利である。図５のカメラ支持具２は、携帯に適した状態が示されている。
【００２６】
図５のカメラ支持具２の状態から、カメラ取付部６がグリップ８から離れる向きに引かれる。第一筒体１０は、第二筒体１２から引き出される。第一筒体１０のスライド溝６４が、第二筒体１２のスライド凸部４０に係合している。この係合により、第一筒体１０は、第二筒体１２に対して、スライド溝６４に沿って引き出される。この係合により、第一筒体１０は、第二筒体１２に対して、周方向に回転することが規制されている。
【００２７】
板バネ３０の弾性力により、第一筒体１０と第二筒体１２とは、径方向に相対的に位置決めされている。これにより、第一筒体１０が第二筒体１２に径方向に確実に支持されている。第一筒体１０と第二筒体１２とが軸方向にスライドする際に、適度の抵抗力が発生させられている。ここでいう適度な抵抗力とは、人が手で軸方向にスライドさせることが可能であり、かつ、カメラの自重でスライドすることが抑制される大きさの抵抗力である。第二筒体１２は、第一筒体１０が最も押し込まれた位置から最も引き出された位置までの範囲で、第一筒体１０を確実に支持している。この第一筒体１０は、第二筒体に対して、そのスライド方向の任意の位置で支持することが可能とされている。
【００２８】
第一筒体１０が第二筒体１２から引き出されると、図２に示されるように、板バネ３０の前方端が、第二筒体１２の円周凸部３６に当接させられている。この当接により、第二筒体１２から第一筒体１０が抜け止めされている。同様に、第二筒体１２が第三筒体１４から、第三筒体１４が第四筒体１６から、第四筒体１６が第五筒体１８からそれぞれ引き出され、抜け止めされて、伸縮脚４が最大長まで伸ばされる。こうして、このカメラ支持具２は、図５の状態から図１の状態に至る。
【００２９】
図６は、カメラ取付部６及び第一筒体１０の一部が示されている。図６（ａ）は、図１のカメラ取付部６の状態が示されている。この取付ネジ部２２は、基部２０に対して回動可能にされている。図６（ａ）の断面図に示されるように、取付ネジ部２２は、基部２０を挟み込んでいる。この取付ネジ部２２が基部２０に弾性体としての板バネ７１と共に取り付けられている。この取付ネジ部２２は、伸縮脚４の軸線に直交する方向を回動軸に回動可能にされている。この基部２０と取付ネジ部２２とは、板バネ７１により、互いに付勢力を受けている。これにより、取付ネジ部２２が基部２０に対して回動するときに、適度な抵抗力が働く。ここでいう適度な抵抗力とは、人が手で回動させることが可能であり、かつ、カメラの自重で回動することが抑制される大きさの抵抗力である。図６（ｂ）は、取付ネジ部２２が基部２０に対して斜め上方に回動させられた状態が示されている。図６（ｃ）は、取付ネジ部２２が基部２０に対して、下方に回動させられた状態が示されている。
【００３０】
図７（ａ）は、このカメラ支持具２が使用されている状態が示された説明図である。カメラ本体７２がカメラ支持具２に取付られている。具体的には、取付ネジ部２２のネジがカメラ本体７２の雌ネジにねじ込まれている。固定ナット２４がねじ込まれてカメラ本体７２に押し付けられている。これにより、カメラ本体７２がカメラ支持具２に固定されている。このグリップ８が使用者に握られている。取付ネジ部２２が回動させられて、カメラ本体７２は、使用者の方に向けられている。タイマー又はリモコンにより、カメラの撮影がされる。このカメラ支持具２は、自分自身を自然な姿勢で撮影することが出来る。このカメラ支持具２は、図７（ｂ）に示されるように、撮影の障害となる人の上方から撮影することも可能である。
【００３１】
カメラ支持具２は、工事現場の写真撮影で、手の届かない高い位置の写真撮影を容易にできる。この様な高い位置の接写をすることも可能である。カメラの入る孔があれば、孔の中を撮影可能である。貫通孔であれば、孔の向こう側の撮影も可能である。壁の向こう側の写真撮影も容易にすることが出来る。
【００３２】
移動の際には、カメラ支持具２にカメラ本体７２が取り付けられた状態で、伸縮脚４が縮められる。図５に示されたカメラ支持具２にカメラ本体７２が取り付けられた状態となる。このカメラ支持具２は、カメラが取り付けられた状態でも、持ち運びが容易である。
【００３３】
また、撮影するときには、伸縮脚４が伸ばされる。この伸縮脚４では、スライド溝６４とスライド凸部４０との係合により、第一筒体１０が第二筒体１２に対して周方向に回転しない。同様に第二筒体１２から第五筒体１８まで、周方向の回転が規制されている。第五筒体１８に対して、第一筒体１０が周方向に回転することが規制されている。これにより、第五筒体１８に対してカメラ本体７２の周方向向きが一定向きに保持される。グリップ８の周方向に回転させることで、カメラ本体７２の向きを周方向に任意に変更できる。
【００３４】
また、基部２０に対する取付ネジ部２２の回動向きが変更される。伸縮脚４の軸線に垂直な方向を回動軸にして、カメラ本体７２の向きを変更出来る。このカメラ支持具２では、伸縮脚４の伸縮に適度な抵抗力が働いている。これにより、カメラ本体７２がより確実に支持され得る。このカメラ支持具２は、伸縮脚４を最短から最長までの任意の長さにして、カメラ撮影が出来る。同様に、取付ネジ部２２の回動に適度な抵抗力が働いているので、カメラ本体７２が更に確実に支持され得る。このカメラ支持具２は、取付ネジ部２２の回動範囲で任意の角度に回動させて、カメラ撮影が出来る。
【００３５】
ここでは、第一筒体１０から第五筒体１８の５本の筒体の連結で説明したが、この連結される筒体の数は２以上の複数本であれば良く、特にこの本数は限定されるものではない。また、先端に位置する第一筒体１０は、必ずしも、内部に空間６２を有する必要はない。第一筒体１０は、その外周面にスライド溝６４を備えればよく、スライド凸部６６及び空間６２を備えなくてもよい。すなわち、第一筒体１０は、中実棒であっても良い。  
【００３６】
前述のように、第一筒体１０のスライド溝６４が、第二筒体１２のスライド凸部４０に係合して、第一筒体１０は、第二筒体１２に対して、スライド可能に支持され、周方向に回転することが規制されている。このスライド及び周方向の回転規制のためには、スライド凸部４０は、必ずしも第二筒体１２の先端から後端まで設ける必要はない。例えば、径方向内向きに突出させたピンであっても良い。
【００３７】
この第一筒体１０と第二筒体１２とでは、スライド凸部４０は、スライド溝６４と伸縮方向に長い範囲で係合しているので、周方向の回転がより確実に規制され得る。第一筒体１０は、第二筒体１２により確実に支持され得る。
【００３８】
また、スライド溝６４は、第一筒体１０の軸線に平行に形成されているが、このスライド溝６４は、第一筒体１０の軸線方向に延びる溝であればよい。例えば、第一筒体１０の先端から後端にスパイラル状に形成されてもよい。このスライド溝６４は、軸線に平行に形成されているので、第二筒体１２から第一筒体１０が引き出されている位置に関わらず、第二筒体１２対して第一筒体１０が回転しない。これにより、第一筒体１０に取り付けられたカメラの向きが一定に保たれている。
【００３９】
更に、第一筒体のスライド溝６４に代えて、半径方向外向きに突出するスライド凸部を設け、第二筒体のスライド凸部４０に代えて半径方向外向きに凹んだスライド溝を形成して、スライド凸部とスライド溝を係合させてもよい。
【００４０】
このカメラ支持具２では、円周溝、円周凸部、スライド溝及びスライド凸部は、円筒形状の筒体に形成されている。円筒形状の筒体は製作が容易であり、入手も容易である。また、筒体の壁面にスライド溝を成形で形成することで、同時にスライド凸部が形成される。例えば、このスライド溝及びスライド凸部は、金属製のパイプを塑性加工することで得られる。このカメラ支持具２の伸縮脚４は安価に製作できる。
【００４１】
ここでは、第一筒体１０のスライド溝６４と第二筒体１２のスライド凸部４０との関係について述べたが、この関係は、第二筒体１２と第三筒体１４と連結、第三筒体１４と第四筒体１６との連結及び第四筒体１６と第五筒体１８と連結においても同様である。
【産業上の利用可能性】
【００４２】
以上説明されたカメラ支持具は、デジタルカメラ、ビデオカメラなど広くカメラ一般の支持具として適用されうる。
【符号の説明】
【００４３】
２・・・カメラ支持具
４・・・伸縮脚
６・・・カメラ取付部
８・・・グリップ
１０・・・第一筒体
１２・・・第二筒体
１４・・・第三筒体
１６・・・第四筒体
１８・・・第五筒体
２０・・・基部
２２・・・取付ネジ部
２４・・・固定ナット
２６・・・本体
２８・・・尻栓
３０・・・板バネ
３２、４１、４９、６２・・・空間
３４、４２、５０、５８・・・円周溝
３６、４４、５２・・・円周凸部
３８、４６、５４、６０、６４・・・スライド溝
４０、４８、５６、６６・・・スライド凸部
６８・・・孔
７０・・・突起
７２・・・カメラ本体
【図１】
0003155695.tif 000003
【図２】
0003155695.tif 000004
【図３】
0003155695.tif 000005
【図４】
0003155695.tif 000006
【図５】
0003155695.tif 000007
【図６】
0003155695.tif 000008
【図７】
0003155695.tif 000009